(57)【要約】      （修正有）【課題】モニタの清浄作業が容易であり、視差誤差の発生を防止し、更に動作状態の表示、対話型操作、及びアラームインジケータの提示を確実にする医療機器用の表示装置を提供する。【解決手段】医療機器１０用の表示装置は、医療機器上に配置され、医療機器の利用者に見えるように所定の表示内容１３を提示するように構成される投影面１４と、医療機器上に配置され、投影面の背面から投影面上に所定の表示内容を投影するように構成される投影装置１６とを備える。投影面及び投影装置は、表示内容の視野提示用のヘッドアップディスプレイユニットとして構成され、医療機器は、前記表示装置を含む体外血液処理を行うための装置であってもよい。【選択図】図２
2018029948.tif 000002
【特許請求の範囲】
【請求項１】
医療機器の表示装置であって、
投影面又は投影板であって、前記医療機器に取り付けられ、前記医療機器の利用者に見えるように前記投影面／投影板の前面に所定の表示内容を提示するように構成される投影面又は投影板と、
前記医療機器上に取り付けられ、前記投影面の背面から前記投影面上に前記所定の表示内容を投影するように構成される投影装置と、
を備え、
前記医療機器の少なくとも１つの所定の動作状態を表示するために前記投影面の所定の部分が設けられ、少なくとも第１の動作状態及び第２の動作状態において、前記投影面の所定の第１の部分及び／又は所定の第２の部分が、前記第１の動作状態及び前記第２の動作状態を異なる色で表示するように制御可能に構成されることを特徴とする、表示装置。
【請求項２】
前記投影面は、不透明な材料で形成される半透明の投影面である、請求項１に記載の表示装置。
【請求項３】
少なくとも前記投影面は、角度調節可能、回転可能、及び／又は高さ調節可能であるように構成される、請求項１又は２に記載の表示装置。
【請求項４】
前記投影面上に配置され、前記利用者の対話をタッチセンス式に検出するように構成される少なくとも１つの対話要素をさらに備える、請求項１〜３のいずれか一項に記載の表示装置。
【請求項５】
前記利用者の対話を非接触式に検出するように構成される撮像手段及び／又は光学センサ手段をさらに備える、請求項１〜４のいずれか一項に記載の表示装置。
【請求項６】
投影プレーン上で、２Ｄジェスチャ検出、３Ｄジェスチャ検出、２Ｄ位置検出及び／又は３Ｄ位置検出を行うように構成される、請求項１〜５のいずれか一項に記載の表示装置。
【請求項７】
前記利用者が手動で操作可能な少なくとも１つの操作要素が前記投影面内に組み込まれる、請求項１〜６のいずれか一項に記載の表示装置。
【請求項８】
第３の動作状態において、前記投影面の所定の第３の部分が、前記第１の動作状態及び前記第２の動作状態の前記色以外の色で前記第３の動作状態を表示するように制御可能に構成され、前記所定の第３の部分が前記所定の第１の部分及び前記所定の第２の部分よりも大きい、請求項１に記載の表示装置。
【請求項９】
少なくとも第１の位置検出システム及び第２の位置検出システムによる前記利用者の対話の少なくとも２チャネルの入力評価が設けられる、請求項４〜６のいずれか一項に記載の表示装置。
【請求項１０】
前記投影面及び前記投影装置は、前記表示内容の視野提示用のヘッドアップディスプレイユニットとして構成される、請求項１〜９のいずれか一項に記載の表示装置。
【請求項１１】
請求項１〜１０のいずれか一項に記載の表示装置を備える、体外血液処理を行うための装置。
【発明の詳細な説明】
【技術分野】
【０００１】
本発明は、医療機器、例えば体外血液処理装置／透析装置用の表示装置に関し、とりわけ視野提示手段又はＨＵＤ（ヘッドアップディスプレイ）の原理に従って情報を提示するように動作可能であり且つ／又は適合される画面又はモニタに関する。
【背景技術】
【０００２】
例えば、透析装置等、体外血液処理を行うための機器の分野では、操作装置及び表示装置が、固有のハウジングを有するモニタとして又は機器のハウジングに組み込まれるモニタとして通常構成される。通常提供される画面サイズ、例えば１５インチに相当する３８．１ｃｍにより、密封するための及び十分なＥＭＣ保護のための複雑な手段が要求される。更に、清浄作業を妨げる邪魔な外形がモニタハウジングと画面との間の移行部において生じることが多い。加えて、タッチセンス操作フィールドを含むシステムでは、タッチセンス面領域内のハウジングの平坦度に対する高度な要件が満たされる必要がある。更に、モニタ及びタッチセンス面と前面に対する操作者又は利用者の位置との間の距離が原因で視差誤差が頻繁に生じている。
【発明の概要】
【発明が解決しようとする課題】
【０００３】
本発明の基礎をなす目的は、上記の欠点を克服し、更に動作状態の表示、対話型操作、及び／又はアラームインジケータの提示を確実にする医療機器用の表示装置を提供することである。
【課題を解決するための手段】
【０００４】
本発明の基礎をなす全般的概念は、体外血液処理を行うための機器内に又はかかる機器にプロジェクタによって照らされる半透明の投影面を配置することである。好ましい投影方向は、操作者又は利用者の影を落とさない方向である。投影面はガラス板、プラスチック材、又は適切な不透明度を有する他の任意の材料とすることができ、自立型及び／又は調節可能、例えば角度調節可能、回転可能、及び／又は高さ調節可能であり得る。投影面上には少なくとも１つの対話型要素を設けることができ、その対話型要素は容量センサ又は抵抗センサシステム（タッチセンス層又はタッチスクリーン）を備え得る。カメラ又は他の任意の光学センサ若しくは容量センサシステムによって操作者又は利用者の対話を評価することができる。例えば、投影プレーン上の例えば操作者又は利用者の指の２Ｄジェスチャ検出／２Ｄ位置検出用の機構、及び／又は３Ｄジェスチャ検出用の機構を実装することができる。更に、投影面上に又は投影面にキー配列又はハードキー等の操作要素を組み込むことができる。投影面の半透明性により、医療機器の動作状態表示を全面的に見ることができる。アラームの際には、動作状態表示面が他の動作事例に比べて大きいように構成することができ、例えば情報表示領域を囲むことができ、若しくは全情報表示フィールド及び全投影面をそれぞれ照らすことができ、且つ／又は情報表示を重ねることができ、機器上の反射によってシグナリング効果を高めることができる。少なくとも２つの位置検出システム、例えば超音波及びタッチセンス機能に基づく位置検出システム、並びに３Ｄカメラシステム及び赤外線バリヤグリッドによる赤外線走査に基づく位置検出システムによる評価により、対話又は入力評価の２チャネルシステムを実現することができる。
【０００５】
上記の全般的概念と共に、自立型の投影面により、表示装置（モニタ）のエリア内のＥＭＣの影響を受けやすい電子機器及びＥＭＣ放射の両方が減り、例えばＩＰ２１の下で必要とされる防水性をより容易に保証することができ、ハウジングがないこと、従って角及び／又は縁がないことによって清浄が容易にされ、例えば殺菌剤に対する耐性が高まる。知られている機構内に設けられる薄膜トランジスタディスプレイをなくすため、小さい寸法を有するように適合されるプロジェクタを採用することができ、従って表示画像サイズを容易に変倍できるだけでなく、別個の動作状態表示を消すことができる。全体として製造費が更に低減され、折畳み式の投影面又は設置位置における技術者によるその据付けに関連して、機器の梱包体積がより小さくなり、従って輸送費が更に低減される。
【０００６】
詳細には、本目的は、医療機器上に配置され、医療機器の利用者に見えるように所定の表示内容を提示するように構成される投影面を備え、医療機器上に配置され、投影面の背面から投影面上に所定の表示内容を投影するように構成される（発光し、投影面から平行に間隔を空けられる）投影機器を備える、医療機器の表示装置によって実現される。
【０００７】
好ましくは、投影面は不透明な材料で構成される半透明の投影面であり、例えばガラス又はプラスチックで構成され得る。ガラスで作られる投影面は、改善された耐ひっかき性及び機器の環境内で生じる物質（清浄剤及び殺菌剤）への耐性を有利に有する。プラスチックで作られる投影面は、向上された破壊強度を有利にもたらし、より軽量であるように設計され得る。
【０００８】
好ましくは、投影面及び／又は投影装置は、角度調節可能、回転可能、及び／又は高さ調節可能であるように医療機器／医療機器のハウジング上に配置される。投影装置が調節可能であるように作られる場合、所定の表示内容の投影を維持するために投影面の傾斜、回転、及び／又は高さ調節に追随できるように、投影装置を医療機器／医療機器のハウジングに関節式に結合／装着することができる。
【０００９】
好ましくは、表示装置は、投影面上に配置され、利用者の対話をタッチセンス、例えば容量式又は抵抗式に検出するように構成される対話要素をさらに組み込む。このように検出される対話は、所定の更なる処理のために単純な方法で下流の制御ユニット又は信号処理ユニットに有利に伝送することができる。
【００１０】
また好ましくは、表示装置は、利用者の対話を非接触式に検出するように構成される撮像手段及び／又は光学センサ手段をさらに備えることができる。有利には、かかる検出は、例えば投影装置に組み込まれる又は別個に配置される統合撮像システム又はカメラシステムによって行われ得る。
【００１１】
好ましくは、表示装置は、表示装置又は投影装置の投影プレーン上で、２Ｄジェスチャ検出、３Ｄジェスチャ検出、２Ｄ位置検出及び／又は３Ｄ位置検出を行うように構成される。このようにして、投影によって幾つかの仮想ユーザインタフェースが提示される操作者又は利用者は、仮想ユーザインタフェースに適切にアプローチするときに医療機器と対話できるのに対し、より離れた位置では医療機器の反応はトリガされない。
【００１２】
好ましくは、或いは又は加えて、利用者が手動で操作可能な操作要素が投影面内に組み込まれ得る。有利には、少なくとも１つの操作要素を機能的に変更不能であるように構成することができ、即ち所定の機能をその操作要素に永続的に割り当てることができる。或いは、有利には、少なくとも１つの操作要素を機能的に自由に構成可能とすることができ、即ち範囲等を可変の又は一時的な方法で調節する装置により、例えば所定の機能の組内の所定の機能をその操作要素に割り当てることができ得る。操作要素は、操作キー、回転アクチュエータ、回転／押圧アクチュエータ等とすることができる。
【００１３】
好ましくは、医療機器の所定の動作状態を表示するために表示装置内で投影面の所定の部分が提供される。
【００１４】
更に好ましくは、少なくとも第１の動作状態及び第２の動作状態において、投影面の所定の第１の部分及び／又は第２の部分が、第１の動作状態及び第２の動作状態を異なる色で表示するように制御可能に構成され得、第３の動作状態において、投影面の所定の第３の部分が、第１の動作状態及び第２の動作状態の色以外の色で第３の動作状態を表示するように制御可能に構成され得、所定の第３の部分は所定の第１の部分及び所定の第２の部分よりも大きい。有利には、かかる構成では、所定の第１の部分が投影面の第１の部分領域であり、所定の第２の部分が投影面の第２の部分領域であり、第１の動作状態が医療機器の通常の動作状態であり、第２の動作状態が医療機器の指示／通知動作状態であり、所定の第３の部分が投影面の枠組みの部分領域又は全領域であり、第３の動作状態が医療機器のアラーム状態であり、所定の表示内容の表示に動作状態の表示を重ねることができる。有利には、それぞれの異なる動作状態を表示するための異なる色として、交通信号色である（例えば、通常の又は正常な動作状態用の）緑色、（例えば、医療機器がメッセージ等を出力し、操作者又は利用者の更なる注目を要求する動作状態用の）黄色、及び（例えば、治療過程中に途絶又は重大な状況が生じる場合等のアラーム動作状態用の）赤色を使用することができる。更に有利には、それぞれの部分の位置及び大きさを動作状態、プロセス状態、及び／又は緊急度に応じて可変とすることができ、これは、操作者又は利用者に求められる注目を制御可能にする。例えば、緑色で照らされる部分は、目立たない大きさ且つ目立たない位置で単に確認的であるように設けることができ、黄色で照らされる部分は、緊急度に応じて大きさ及び／又は位置を変えることができるように設けることができ、早急な対策を完全に必要とする赤色で照らされる部分は、枠組み形状内で重ねるように又は全面にわたって重ねるように設けることができる。更に、パラメータ又は緊急度に応じて提供の輝度及び／又は頻度を可変とすることができる。
【００１５】
好ましくは、少なくとも第１の位置検出システム及び第２の位置検出システムによる、利用者による対話の少なくとも２チャネルの入力評価が表示装置内に設けられる。有利には、一部の医療用途で必要とされる評価の２チャネル設計をこの方法で利用できるようにする。有利には、第１の位置検出システムが超音波手段及びタッチセンス手段を含むことができ、第２の位置検出システムが３Ｄカメラ及び赤外線走査を含み得る。第１の位置検出システム及び／又は第２の位置検出システムは、例えば投影装置に組み込むことができ、又は医療機器に対して適した位置において他の場所に配置することができる。
【００１６】
好ましくは、投影面及び投影装置は、表示内容の視野提示用のＨＵＤユニット（ヘッドアップディスプレイユニット）として表示装置内で構成される。
【００１７】
好ましくは、医療機器として体外血液処理を行うための機器が上記の形態の表示装置及び適切な発展形態を備える。
【００１８】
上記の簡潔な説明は例示に過ぎず、決して限定的ではない。以下、添付図面に関して本発明を好ましい実施形態によって詳細に説明する。別段の定めがない限り、図中では同じ参照番号が同じ構成要素を示し、それらの構成要素について冗長に説明することはない。
【図面の簡単な説明】
【００１９】
【図１】一実施形態による表示装置及び投影装置を含む医療機器の概略図を示す。
【図２】表示装置の投影面上への表示内容の投影がアクティブにされた、図１による医療機器の概略図を示す。
【図３Ａ】キー又はスイッチとして例示する操作要素又は対話要素を含む、投影面の概略図を示す。
【図３Ｂ】医療機器の通常の又は指示動作状態用の動作状態表示を含む、投影面の概略図を示す。
【図３Ｃ】医療機器のアラーム動作状態用の動作状態表示を含む、投影面の概略図を示す。
【発明を実施するための形態】
【００２０】
図１及び図２で単純化され概略的な形態で図示されているように、医療機器１０、例えば透析装置等の体外血液処理用装置は本体部分１２を含み、本体部分１２内で又はそれにおいて、システムによって必要とされる構成要素が内側及び外側に収容される。それぞれの実際の医療機器１０のシステムによって必要とされる構成要素はそれ自体知られており、その限りにおいて明示的に図示することも詳細に説明することもしない。医療機器１０は、基部１８上のころ１７によって可動式に構成することができる。
【００２１】
この実施形態では、投影面１４と投影面１４から所定距離に配置されるプロジェクタ又は投影装置１６とが医療機器１０用の表示装置を形成し、投影面１４は、医療機器１０上に配置され、且つ医療機器１０の利用者に見える方法で所定の表示内容１３を提示するように構成され、及び投影装置１６は、医療機器１０上に均等に配置され、且つ投影面１４の背面から投影面上に、及び好ましくは投影面１４上に又はそこに位置する投影プレーン上にそれぞれ所定の表示内容１３を投影するように構成される。
【００２２】
従って、投影面１４及び投影装置１６を含む医療機器１０用の表示装置は、ヘッドアップディスプレイ（ＨＵＤ）とも呼ばれる視野提示を含む情報表示手段の原理に基づいて動作する。
【００２３】
より正確には、本実施形態の表示装置は、例えば情報取得ユニット及び画像表示制御ユニットを含み得る。画像表示制御ユニットは、光源及び可動式の反射素子を含み得る。光源は光ビームを放つように構成される。表示装置及び表示装置の投影装置１６のそれぞれは、表示情報を表示するために投影面１４上に光ビームを投影するように構成され、即ち投影面１４内に位置するプレーンに焦点が合わせられる。情報取得ユニットは、１つ又は複数のセンサ及び／又は制御ユニットに結合され得、１つのセンサ又は複数のセンサによって検出される測定値若しくは測定データ、並びに／又は制御ユニットによって内部的に生成される例えば治療過程若しくは機器の状態に関するパラメータ及び／若しくは情報を収集することができ、収集済みのデータ及び／又は収集済みの情報を所定の処理に従って処理することができ、処理済みの情報を例えばこれだけに限定されないが画像形式及び／又はテキスト形式で画像表示制御ユニットに出力することができる。情報取得ユニットは、画像表示制御ユニットのためのデータに基づいて表示制御信号を更に提供することができる。画像表示制御ユニットは処理済みの情報を受信し、後者を投影面１４上に投影することができ、表示制御信号を更に受信して、例えば可動式の反射素子によって投影面１４上の表示情報の位置を決定又は調節することができる。
【００２４】
この実施形態では、投影面１４は、例えば散乱ディスク等のように不透明材料から作られる半透明の投影面である。例えば、投影面１４は、平面状に形作られ、剛体であるが少なくとも歪みに耐性がある所定の大きさ及び厚さのガラス材料又はプラスチック材料で構成することができ、投影面１４内で表示内容１３の焦点が合い、操作者又は利用者が判読できるように提示されるように、投影装置１６の表示情報の投影の大きさを可変とし、投影面１４内のプレーン上に適合させるか又は照射することができる。
【００２５】
更に、この実施形態では、投影面１４及び必要に応じて投影装置１６も角度調節可能、回転可能、及び／又は高さ調節可能であるように構成される。
【００２６】
例えば、投影面１４は、医療機器１０の端面に対して前方及び／又は後方に折畳み可能又は角度調節可能であるように、且つ／又は高さ方向を中心に回転可能であるように等、医療機器１０の表面部分、例えばテーブルの形をしたモールディング又は高台１５におけるヒンジ型結合機構によって旋回するように関節式に結合され得る。回転角範囲及び／又は傾斜角範囲は、例えば一方で医療機器１０の前に立つ人による表示内容１３の可読性を依然として与え、他方で保護的な横になる位置又はアイドル位置へと、例えば、テーブル形状のモールディング又は高台における柔らかく覆う凹みへと折り畳むことを可能にする範囲内で与えられ得る。
【００２７】
更に例として、投影面１４は、例えば所定の傾斜位置において投影面１４を医療機器１０に関節式に結合する機構の医療機器１０の上面に対する上方向及び／又は下方向の高さ調節機能により、その地上の絶対高度を調節可能とすることができる。或いは、例えば投影面１４はフレーム機構内でガイドされ得、フレーム機構内で移動可能とすることができ、フレーム機構は医療機器１０と相対して少なくとも高さ方向に固定される。修正形態では、上記で例として述べた関節式装置及び／又はフレーム機構を高さに関して移動可能であるように全体的に構成することができ、それにより、投影面１４を医療機器１０の凹み内に少なくとも部分的に埋め込むか又は挿入することができる。
【００２８】
必要に応じて設けられる導体接続をこの目的で関節式装置及び／又はフレーム機構内で被覆することができ、適切な全長においてガイドすることができる。別の修正形態では、分離可能なプラグ接点機構によってかかる導体接続をガイドすることができ、投影面１４を全体として脱着可能であるように形成することができ、それにより投影面１４が破損した場合にも容易に交換することができ、例えば医療機器１０が動作していない状態の際には、投影面１４を安全に保護する場所に投影面１４を保管することができる。
【００２９】
この実施形態では、投影面１４上に操作要素又は対話要素３２（図３Ａ参照）を配置することができ、利用者の対話をタッチセンス、例えば容量式又は抵抗式に検出するように構成することができる。対話要素３２は、例えば投影装置１６によりソフトウェア制御によって表示内容１３内に投影されるソフトウェアスイッチとすることができ、その状態又は作動は、好ましくは投影面１４上のマルチポイント対応又はマルチタッチ対応のタッチセンス層によって検出され、例えば医療機器のパラメータを変えることを可能にしたり、動作サイクルの開始、停止、一時停止及び時間経過の記録等、医療機器１０の制御機能を操作者又は利用者が利用できるようにしたりする。
【００３０】
或いは又は加えて、利用者の非接触検出対話のために構成される撮像手段及び／又は光学センサ手段を配置することができる。この場合、タッチセンス層を省くことができ、例えば撮影手段及び／又は撮像手段としてそれ自体知られているカメラ機構による対話が操作者又は利用者の指の位置を検出することができ、入力評価のためにその指の位置を下流の処理手段又は制御手段、例えばマイクロコントローラに導くことができる。
【００３１】
この実施形態では、操作者又は利用者の対話又は入力を検出及び評価するための上記の検出手段により、投影装置の投影プレーン上の２Ｄ及び／又は３Ｄジェスチャ検出及び／又は位置検出を行うことができる。具体的には、少なくとも第１の位置検出システム及び第２の位置検出システムによる利用者の対話の少なくとも２チャネルの入力評価を提供することができ、第１の位置検出システムは、例えば超音波手段及びタッチセンス手段を含むことができ、第２の位置検出システムは、例えば３Ｄカメラ及び赤外線走査を含み得る。
【００３２】
更なる代替形態として又は加えて、利用者が手動で操作することができる少なくとも１つの操作キー３４を投影面１４及び／又は投影装置１６上に組み込むことができる（図３Ａ参照）。少なくとも１つの操作キー３４は、例えば機能的に変更不能であるように構成される、即ち例えば医療機器１０又は投影装置１６において所定の機能を絶えずトリガするハードウェアキー（ハードキー）の形態で提供することができ、又は同等の意味で例えばソフトウェアによるプログラム依存の若しくは動作サイクル依存の割当てにより、機能キーの態様で機能的に自由に構成され得る。
【００３３】
更に、この実施形態では、投影面１４の所定の部分が医療機器１０の所定の動作状態を表示するために提供され、かかる部分は、例えば投影面１４上で様々な動作状態を様々な色で強調表示し、そのようにして操作者又は利用者のそれぞれの注意を引くように構成される。
【００３４】
修正形態では、このために投影装置１６が動作状態表示部分（不図示）を含むことができ、動作状態表示部分は第２の又は二次（副）投影装置を形成するように適合され得、表示情報の投影を担う表示情報投影部分と別個に又はかかる表示情報投影部分に加えて設けられ得、例えばマイクロコントローラによって制御されるとき、色によって表示情報と明確に区別可能な投影面１４の少なくとも１つの領域内に好ましくは平面の要素を表示し、挿入し、又は表示情報に重ねるように構成され得、平面要素の光強度、点滅頻度（点滅光表現）、大きさ、形状、及び／又は位置は、関連する動作状態及び／又はかかる表示によって伝送される動作状態情報の緊急度に応じて可変とすることができる（図３Ａ〜図３Ｃ参照）。
【００３５】
例えば、いわゆる交通信号色を利用する構成は、問題のない正常な動作状態（通常動作状態）を知らせる第１の動作状態表示３６を緑色で、第１の大きさ及び／又は形状で、並びに投影面内のむしろ目立たない位置であり得る第１の位置に表し、重大ではないが少なくとも操作者又は利用者による注目及び／若しくは場合により対話を必要とする第２の動作状態（指示動作状態）、又は治療周期中のプロセスを知らせる第２の動作状態表示３７を黄色で、第１の大きさ以上の第２の大きさ及び／又は第１の形状と区別可能であるように適合される第２の形状で、並びに投影面内のより目立つ位置であり得る第２の位置に表し、重大であり少なくとも操作者又は利用者による迅速な対話を必要とする第３の動作状態（アラーム状態）又は治療周期中のプロセスを知らせる第３の動作状態表示３８を赤色で、第１の大きさ及び第２の大きさよりも大きい第３の大きさ及び／又は第１の形状及び第２の形状と区別可能であるように適合される第３の形状で、並びに投影面内のより目立つ位置であり得る第３の位置に表すものであり得る。この実施形態では、例えば、第１の動作状態表示３６が丸い緑色の点（図３Ａ）で表され、第２の動作状態表示３７が丸い緑色の点よりも大きい黄色の四角形で表され、第３の動作状態表示３８が投影面１４を囲む赤枠で表される。
【００３６】
即ち、この実施形態では、少なくとも第１の動作状態及び第２の動作状態において、投影面１４の所定の第１の部分が第１の動作状態及び第２の動作状態を異なる色で表示するように制御可能に構成され、且つ第３の動作状態において、投影面１４の所定の第２の部分が第３の動作状態を第１の動作状態及び第２の動作状態と比べて異なる色で表示するように制御可能に構成され、所定の第２の部分は好ましくは所定の第１の部分よりも大きく、所定の第１の部分は投影面１４の第１の部分領域とすることができ、第１の動作状態は医療機器１０の通常の動作状態とすることができ、第２の動作状態は医療機器１０の指示動作状態とすることができ、所定の第２の部分は投影面１４の枠組みの部分領域又は全領域とすることができ、第３の動作状態は医療機器１０のアラーム状態とすることができ、動作状態の表示は所定の表示内容１３の表示に重ねられるように適合される。
【００３７】
この実施形態の別の修正形態では、タッチセンス対話要素３２（図３Ａ参照）を第１の部分、第２の部分、及び／又は第３の部分と組み合わせることができ、それにより例えば投影装置の動作状態表示部分又はその目的で配置される医療機器１０の別の制御手段が、動作状態表示を生成又は実行するとき、投影面１４上の適切な位置においてタッチセンス対話要素３２を同時に確立し、ユーザ入力のためにそのタッチセンス対話要素３２をアクティブにする。
【００３８】
このようにして操作者又は利用者は、動作状態表示に直接反応する、例えば指示メッセージ又は警告メッセージ（黄色）をリセットし、又はアラーム状態（赤色）において緊急停止をトリガすることができる。後者の場合、医療機器１０を緊急停止させ又はその安全な動作サイクルに移行するために、第３の動作状態表示の（赤色の）第３の部分内の任意の点を触れることで十分とすることができ、それにより、この場合、操作者又は利用者の反応時間を有利に短縮することができる。
【００３９】
代替形態として又は加えて、関連する動作状態表示を出力するときにアクティブにすることができ、アクティブ時、生じた動作状態に対する操作者又は利用者の反応として２Ｄ及び／又は３Ｄ位置検出及び／又はジェスチャ検出によって検出される特定のジェスチャを予め定めておくことができる。この場合、例えばアラーム状態内での所定の手の動き又は互いに対する両手の位置が、医療機器１０の緊急停止又は安全な動作状態への移行を引き起こし得るのに対し、非アラーム状態内では、同じ手の動き又は手の位置が医療機器１０のいかなる反応も引き起こさない。
【００４０】
従って、全体として、この実施形態では、投影面１４及び投影装置１６が、投影面１４上に投影しようとする表示情報（表示内容１３）の視野提示用のＨＵＤユニットとしてこのように上記の通りに構成され、それにより、透析装置等の体外血液処理を行うための装置の機能部分又は機能部品を（受動的に及び／又は対話式に）形成し得る。
【００４１】
上記で説明したように、医療機器１０用の表示装置は、医療機器１０上に配置され、且つ医療機器１０の利用者に見える方法で所定の表示内容１３を提示するように構成される投影面１４と、医療機器１０上に配置され、且つ投影面１４の背面から投影面１４上に所定の表示内容１３を投影するように構成される投影装置１６とを含む。投影面１４及び投影装置１６は、表示内容１３の視野提示用のＨＵＤユニットとして構成され、及び医療機器１０は、かかる表示装置を含む体外血液処理を行うための機器であり得る。
【００４２】
上記では本発明を好ましい実施形態によって説明してきた。説明した好ましい実施形態の詳細は本発明をそのようなものとして限定せず、当業者にとって明らかな方法で様々な変更形態、修正形態、及び／又は均等物をもたらすことができ、従って、その全てが添付の特許請求の範囲によって定められる本発明の保護範囲に含まれることが理解されるであろう。
以下の項目は、本出願時の特許請求の範囲に記載の要素である。
（項目１）
医療機器の表示装置であって、
投影面又は投影板であって、前記医療機器に取り付けられ、前記医療機器の利用者に見えるように前記投影面／投影板の前面に所定の表示内容を提示するように構成される投影面又は投影板と、
前記医療機器上に取り付けられ、前記投影面の背面から前記投影面上に前記所定の表示内容を投影するように構成される投影装置と、
を備え、
前記医療機器の少なくとも１つの所定の動作状態を表示するために前記投影面の所定の部分が設けられ、少なくとも第１の動作状態及び第２の動作状態において、前記投影面の所定の第１の部分及び／又は所定の第２の部分が、前記第１の動作状態及び前記第２の動作状態を異なる色で表示するように制御可能に構成されることを特徴とする、表示装置。
（項目２）
前記投影面は、不透明な材料で形成される半透明の投影面である、項目１に記載の表示装置。
（項目３）
少なくとも前記投影面は、角度調節可能、回転可能、及び／又は高さ調節可能であるように構成される、項目１又は２に記載の表示装置。
（項目４）
前記投影面上に配置され、前記利用者の対話をタッチセンス式に検出するように構成される少なくとも１つの対話要素をさらに備える、項目１〜３のいずれか一項に記載の表示装置。
（項目５）
前記利用者の対話を非接触式に検出するように構成される撮像手段及び／又は光学センサ手段をさらに備える、項目１〜４のいずれか一項に記載の表示装置。
（項目６）
投影プレーン上で、２Ｄジェスチャ検出、３Ｄジェスチャ検出、２Ｄ位置検出及び／又は３Ｄ位置検出を行うように構成される、項目１〜５のいずれか一項に記載の表示装置。
（項目７）
前記利用者が手動で操作可能な少なくとも１つの操作要素が前記投影面内に組み込まれる、項目１〜６のいずれか一項に記載の表示装置。
（項目８）
第３の動作状態において、前記投影面の所定の第３の部分が、前記第１の動作状態及び前記第２の動作状態の前記色以外の色で前記第３の動作状態を表示するように制御可能に構成され、前記所定の第３の部分が前記所定の第１の部分及び前記所定の第２の部分よりも大きい、項目１に記載の表示装置。
（項目９）
少なくとも第１の位置検出システム及び第２の位置検出システムによる前記利用者の対話の少なくとも２チャネルの入力評価が設けられる、項目４〜６のいずれか一項に記載の表示装置。
（項目１０）
前記投影面及び前記投影装置は、前記表示内容の視野提示用のヘッドアップディスプレイユニットとして構成される、項目１〜９のいずれか一項に記載の表示装置。
（項目１１）
項目１〜１０のいずれか一項に記載の表示装置を備える、体外血液処理を行うための機器。
【図１】
2018029948.tif 000003
【図２】
2018029948.tif 000004
【図３Ａ】
2018029948.tif 000005
【図３Ｂ】
2018029948.tif 000006
【図３Ｃ】
2018029948.tif 000007
【外国語明細書】
2018029948000001.pdf
2018029948000002.pdf
2018029948000003.pdf
2018029948000004.pdf